(57)【要約】【課題】ランキンサイクルを利用した高効率な排熱回収装置を実現すると共に、爆発性や毒性があるＮＨ３の危険性を解消する。【解決手段】水が循環する一次回路１２は、低温熱源により水を蒸気に変える低温熱採取部２２、２４、２６と、該蒸気で低沸点媒体を気化させる熱交換器２８と、該蒸気で駆動される発電機付き蒸気タービン３０と、発電機付き蒸気タービン３０の下流側で湿り蒸気を貯留する密閉容器３６とを含むランキンサイクル構成機器を有している。ＮＨ３が循環する二次回路１４は、熱交換器２８で気化した低沸点媒体で駆動される発電機付きタービン５２を含むランキンサイクル構成機器を有している。湿り蒸気保有熱回収部１６は、水を貯留した水貯留槽６２と、密閉容器３６及び水貯留槽６２の底部に接続された連通路６０と、連通路６０に設けられた発電機付き水タービン６４とで構成されている。【選択図】図１
2016023552.tif 000002
【特許請求の範囲】
【請求項１】
作動流体として水が循環する一次回路と、作動流体として水より沸点が低い低沸点媒体が循環する二次回路とを備え、
前記一次回路は、低温熱源と前記水とを熱交換させ前記水を蒸気に変える低温熱採取部と、前記低温熱採取部の下流側で前記蒸気と前記低沸点媒体とを熱交換させ前記低沸点媒体を気化させる熱交換器と、前記熱交換器の下流側で前記蒸気で駆動される発電機付き蒸気タービンと、前記発電機付き蒸気タービンの下流側で気液二相水を貯留し、気相形成域に大気開放弁を有する密閉容器とを含むランキンサイクル構成機器を有し、
前記二次回路は、前記熱交換器で加熱され気化した低沸点媒体で駆動される発電機付きタービンを含むランキンサイクル構成機器を有し、
さらに、上部が開放された水貯留槽と、前記密閉容器の凝縮水貯留域と前記水貯留槽の水貯留域とを連通する連通路と、前記連通路に設けられた発電機付き水タービンとで構成された湿り蒸気保有熱回収部を備えていることを特徴とする複合ランキンサイクルを用いた排熱回収装置。
【請求項２】
前記密閉容器に貯留された凝縮水の表面全域に浮かんだフロート式断熱材を有していることを特徴とする請求項１に記載の複合ランキンサイクルを用いた排熱回収装置。
【請求項３】
前記密閉容器と前記水タービンとの間の前記連通路に熱対流防止手段が設けられていることを特徴とする請求項１又は２に記載の複合ランキンサイクルを用いた排熱回収装置。
【請求項４】
前記熱対流防止手段は、前記連通路が他の連通路の領域に対して上方に立ち上げられた逆Ｕ字路で構成されていることを特徴とする請求項３に記載の複合ランキンサイクルを用いた排熱回収装置。
【請求項５】
前記水貯留槽は、自然界に形成され水を貯留可能な地形を利用したものであることを特徴とする請求項１に記載の複合ランキンサイクルを用いた排熱回収装置。
【請求項６】
前記低沸点媒体がＮＨ３であることを特徴とする請求項１に記載の複合ランキンサイクルを用いた排熱回収装置。
【請求項７】
夜間電力を用いて前記一次回路及び前記二次回路が有するランキンサイクル構成機器を稼働させると共に、前記水貯留槽の貯留水の位置エネルギを蓄えることを特徴とする請求項１に記載の複合ランキンサイクルを用いた排熱回収装置。
【発明の詳細な説明】
【技術分野】
【０００１】
本発明は、太陽熱、工場排熱、地熱等の低温熱源から高効率で熱回収を可能にした排熱回収装置に関する。
【背景技術】
【０００２】
太陽熱や地熱等の自然エネルギの有効利用や、工場排熱のように廃棄されている熱エネルギの回収利用は、今後我が国が持続的に発展するために必要不可欠な技術である。
一般的に、太陽熱や地熱等の自然エネルギや工場排熱のような１００℃程度の低温度の熱エネルギは、大量に存在していても温度差が小さいため高効率の熱回収機関を実現できていないのが現状である。そのため、回収できる電力が少なく、経済的に採算が取れていないのが現状である。
【０００３】
通常、このような低温度落差の熱エネルギを電力回収するにはランキンサイクルを構成する熱回収装置を用いている。作動流体には、低温度落差でも体積が大きく変化できるＮＨ３やＲ１２３、Ｒ２４５ｆ等のフロン系の作動流体が使われている。
しかし、フロン系作動流体は地球温暖化ガスとされ、その使用は今後大きく制限される可能性がある。また、ＮＨ３や炭化水素系等の作動流体は、爆発性や人体に対する毒性があるため、大規模システムに適用するためには保守管理が非常に大変である。
【０００４】
特許文献１には、ボイラ、タービン、給液加熱器、凝縮器等を備え、高温側ランキンサイクルと低温側ランキンサイクルとを組み合わせた複合ランキンサイクルを用いたタービンプラントが開示されている。このタービンプラントは、高温側ランキンサイクルに水などの作動流体を用い、低温側ランキンサイクルに臨界温度が高温側作動流体より低い作動流体を使用している。
【０００５】
また、タービンを使わない低温度差用のスターリングエンジンを使って、低温度エネルギから熱回収を行う方法も考えられる。
さらに、機械的な駆動部分であるタービンやピストンを使わない排熱回収技術として、ビスマス・テルルなど電気的な特性が異なる二種類の導体（又は半導体）を接触させ、接点に温度差を与え電位差を発生させるゼーベック効果を利用した熱電発電素子による排熱回収手段も検討されている。
【先行技術文献】
【特許文献】
【０００６】
【特許文献１】特開平０５−２８０３０３号公報
【発明の概要】
【発明が解決しようとする課題】
【０００７】
特許文献１に開示されたタービンプラントは、ボイラで得られた高温ガスを熱源とするもので、低温度の熱エネルギから熱回収を行うものではない。そのため、低温熱源から高効率で熱回収を行うことはできない。また、低温側作動流体を加熱した後の高温側作動流体の保有熱を有効利用していないので、高効率な熱回収ができない。
また、スターリングエンジンは、作動流体に理想気体と見なせる高圧のヘリウムガスを必要とする。このように、高価な希ガスを大量に必要とすると共に、大量の熱を処理するために巨大ピストンや蓄熱器が必要となり現実的ではない。膨大な数の小型スターリングエンジンを並列配置すれば技術的に実現できるが、経済的に採算が全く取れないという問題がある。
【０００８】
さらに、ゼーベック効果を利用した熱電発電素子は、超小型で構造も簡単なので使いやすく、実験室レベルで様々な試作例がある。しかし、変換効率が約１０％と低く、素子が高価である上に、比較的安価なビスマス・テルル系の熱電発電素子ではテルルに毒性が確認されており、大規模な排熱回収装置として適切でない。
【０００９】
本発明の少なくとも一態様は、かかる従来技術の課題に鑑みなされたものであり、ランキンサイクルを利用した高効率な排熱回収装置を実現すると共に、作動流体としてＮＨ３を用いる場合、爆発性や毒性があるＮＨ３の危険性を解消することを目的とする。
【課題を解決するための手段】
【００１０】
本発明の少なくとも一態様に係る複合ランキンサイクルを用いた排熱回収装置は、作動流体として水が循環する一次回路と、作動流体として水より低沸点を有する低沸点媒体が循環する二次回路とを備えている。
そのため、二次回路を循環する低沸点媒体として、例えばＮＨ３などを使用する場合でも、低温熱源から熱回収を行う一次回路の作動流体として水を用い、ＮＨ３などを使用する二次回路を低温熱源から隔離できるので、ＮＨ３を使用する危険性を解消できる。
【００１１】
前記一次回路は、低温熱源と水とを熱交換させ水を蒸気に変える低温熱採取部と、この低温熱採取部の下流側で蒸気と低沸点媒体とを熱交換させ、低沸点媒体を気化させる熱交換器と、この熱交換器の下流側で前記蒸気で駆動される発電機付き蒸気タービンと、この発電機付き蒸気タービンの下流側で湿り蒸気を貯留し、気相形成域に大気開放弁を有する密閉容器とを含むランキンサイクル構成機器を有している。
また、前記二次回路は、前記熱交換器で加熱され気化した低沸点媒体で駆動される発電機付きタービンを含むランキンサイクル構成機器を有している。
こうして、二次回路で低沸点媒体を循環させ、第２の熱交換器で蒸気によって低沸点媒体を加熱し気化させることで、低温熱源からの熱回収効率を向上できる。
【００１２】
さらに、本発明の少なくとも一態様は、上部が開放された水貯留槽と、該密閉容器の凝縮水貯留域と前記水貯留槽の水貯留域とを連通する連通路と、該連通路に設けられた発電機付き水タービンとで構成された湿り蒸気保有熱回収部を備えている。
一次回路で蒸気タービンを作動させた後の湿り蒸気は密閉容器に貯留され、該密閉容器の内部では気相域と液相域とが形成される。気相域は未だ高温を有する湿り蒸気が導入されるため高圧となる。そのため、密閉容器と連通路を介して連通している水貯留槽内の貯留水の水面と比べて密閉容器の凝縮水の水面は低下する。
密閉容器内の水面が十分低下した後、密閉容器の気相域に設けられた大気開放弁を開放すると、気相域が減圧されるので、水貯留槽の貯留水が連通路を介して密閉容器に流れ、発電機付き水タービンを駆動する。
【００１３】
こうして、最終的に未利用だった湿り蒸気の熱エネルギを水貯留槽に貯留された貯留水の位置エネルギに変換することで、熱回収効率を向上できると共に、貯留水の位置エネルギによる電力貯蔵も可能になる。
このように、低沸点媒体を加熱した後の湿り蒸気の保有熱を利用して発電できるので、高効率な熱回収が可能になる。
【００１４】
本発明の一態様は、密閉容器に貯留された凝縮水の表面全域に浮遊するフロート式断熱材を有している。この明細書において「フロート式断熱材」とは、例えば発泡性樹脂のように、比重が水より軽く水に浮く材質でできた断熱材を言う。この断熱材によって気相域の保有熱が水側に伝達するのを抑制できるので、気相域の温度降下を抑制でき、気相域の保有熱による熱回収効率を高く維持できる。
【００１５】
本発明の別な一態様は、密閉容器と水タービンとの間の連通路に熱対流防止手段が設けられている。この熱対流防止手段によって気相形成域の保有熱が連通路を介して水貯留槽に伝達するのを抑制できるので、気相形成域の保有熱の有効効率を高く維持できる。
前記熱対流防止手段は、例えば、連通路が他の連通路の領域より上方に立ち上げられた逆Ｕ字路で構成されている。気相形成域の保有熱で加熱され重量が軽くなった水は逆Ｕ字路の頂部から水貯留槽側の連通路に下降しないので、密閉容器の保有熱が水貯留槽側へ放散されるのを抑制できる。
【００１６】
本発明のさらに別な一態様では、前記水貯留槽は、例えば自然界に形成された池や湖のような地形であって、水を貯留可能なものをそのまま利用したものであってもよい。これによって、水貯留槽の建設費を削減できる。さらに、防火用水池やプールなどの既存の水貯留槽を利用してもよい。
【００１７】
本発明のさらに別な一態様は、安価な夜間電力を用いて一次回路及び二次回路のランキンサイクル構成機器を稼働させると共に、水貯留槽の貯留水の位置エネルギを蓄えるものである。
これによって、蒸気タービンで回収した電力と、水貯留槽の貯留水の位置エネルギで回収した電力とを合わせて、短時間だが大きな電力を得ることができる。例えば、この電力を電力需要が多くなる昼間に利用できる。
【発明の効果】
【００１８】
本発明によれば、水が循環する一次回路と、水より沸点が低い低沸点媒体が循環する二次回路とを備え、さらに、湿り蒸気保有熱回収部を備えているので、低温熱源からの高効率な熱回収が可能になると共に、低沸点媒体の使用範囲を低温熱源から隔離したことで、低沸点媒体としてＮＨ３を用いた場合でも、ＮＨ３の危険性に係る問題を解消できる。
【図面の簡単な説明】
【００１９】
【図１】本発明の一実施形態に係る排熱回収装置のブロック線図である。
【図２】前記排熱回収装置の一次回路のみを抜き出したブロック線図である。
【図３】前記一次回路のＴ−Ｓ線図である。
【図４】前記排熱回収装置の二次回路のみを抜き出したブロック線図である。
【図５】前記二次回路のＴ−Ｓ線図である。
【発明を実施するための形態】
【００２０】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２１】
本発明の一実施形態に係る排熱回収装置を図１〜図５に基づいて説明する。
図１において、本実施形態に係る排熱回収装置１０は、作動流体として水が循環する一次回路１２と、低沸点の作動流体としてＮＨ３が循環する二次回路１４と、湿り蒸気保有熱回収部１６とで構成されている。
【００２２】
一次回路１２は、太陽熱を吸収する熱交換器２２と、工場排熱を吸収する熱交換器２４と、地熱を吸収する熱交換器２６を有しており、これらの熱交換器２２、２４及び２６で低温熱採取部２０を構成している。熱交換器２２、２４及び２６で低温熱源から熱を吸収した水は蒸気に変わり、熱交換器２８で二次回路１４を循環するＮＨ３と熱交換し、ＮＨ３を気化させる。
熱交換器２８の下流側の一次回路１２に、回転軸が発電機３２と連結した蒸気タービン３０が設けられている。熱交換器２８を出た蒸気は蒸気タービン３０及び蒸気タービン３０と回転軸を共有する発電機３２を作動させ、電力を発生させることができる。
【００２３】
蒸気タービン３０を作動させた蒸気は湿り蒸気となり、この湿り蒸気は凝縮器３４において冷却水で冷却され、さらに一部が凝縮する。その後、湿り蒸気は密閉容器３６に貯留される。
密閉容器３６は頂部に大気開放弁３８を有している。密閉容器３６の内部で、湿り蒸気は気相域ｇと液相域（凝縮水ｃの貯留域）とに別れる。一次回路１２は気相域ｇ及び液相域に夫々接続されている。気相域ｇでは凝縮器３４を経た温度の高い湿り蒸気が密閉容器３６内に供給されることで、該密閉容器内の空気を暖め、圧力を高める。
水面には板状の断熱材（例えば、ポリスチレン樹脂などの発泡性樹脂又は硬質ウレタンフォームのように、比重が１未満の断熱材）からなるフロート式断熱材４０が水面のほぼ全域を覆うように浮いている。これによって、気相域ｇの保有熱が凝縮水ｃが貯留した液相域に伝達するのを抑制できる。
【００２４】
密閉容器３６の液相域に接続された一次回路１２には水ポンプ４２が設けられ、水ポンプ４２の下流側で熱交換器２２、２４及び２６に分岐し、これら熱交換器の入口に夫々開閉弁４４、４６及び４８が設けられている。水ポンプ４２によって密閉容器３６内の凝縮水が熱交換器２２、２４及び２６に送られる。開閉弁４４、４６及び４８の開閉操作によって、熱交換器２２、２４又は２６に選択的に凝縮水ｃを送ることができる。
【００２５】
二次回路１４にはＮＨ３ポンプ５０が設けられ、ＮＨ３ポンプ５０によって二次回路１４をＮＨ３が循環する。熱交換器２８で気化したＮＨ３はＮＨ３タービン５２に送られ、ＮＨ３タービン５２を作動させると共に、ＮＨ３タービン５２と回転軸を共有する発電機５４を作動させ発電が行われる。
ＮＨ３タービン５２を作動させた後気液二相流となったＮＨ３は、凝縮器５６で冷却され液化してＮＨ３ポンプ５０に戻り再循環される。
【００２６】
密閉容器３６の底部に連通管６０が接続され、連通管６０の他端は水貯留槽６２の底部に接続されている。水貯留槽６２には予め貯留水ｗが貯留され、水貯留槽６２の上部は大気に開放されている。連通管６０には水タービン６４が設けられ、水タービン６４には回転軸を共有する発電機６６が設けられている。
また、密閉容器３６と水タービン６４との間の連通管６０には上方に立ち上がった逆Ｕ字管６８が形成され、逆Ｕ字管６８の頂部には空気抜き弁７０が設けられている。また、密閉容器３６と逆Ｕ字管６８との間の連通管６０には水遮断弁７２が設けられている。
【００２７】
図２は排熱回収装置１０のうち一次回路１２のみを抽出したものであり、図３は一次回路１２のＴ（絶対温度）−Ｓ（エントロピ）線図を示している。図２及び図３に付された番号は、同一の部位を同一の番号で示している。図３中、Ｓｗは飽和水線であり、Ｓｖは飽和蒸気線である。
密閉容器３６内の水は水ポンプ４２によって等エントロピで加圧され、熱交換器２２、２４又は２６に導かれる（１→２）。熱交換器２２、２４又は２６で低温熱源によって加熱された水は、等圧線に沿って状態変化して蒸発し、さらに高温の過熱蒸気となる（２→３）。
【００２８】
過熱蒸気は熱交換器２２、２４又は２６を出て熱交換器２８に入り、熱交換器２８でＮＨ３を加熱する（３→４）。次に、過熱蒸気は等エントロピ膨張を行って蒸気タービン３０を作動し、圧力が下がり湿り蒸気となる（４→５）。湿り蒸気は凝縮器３４において等圧冷却で放熱して液化する（５→１）。こうして、一次回路１２はランキンサイクルを構成する。
【００２９】
図４は排熱回収装置１０のうち二次回路１４のみを抽出したものであり、図５は二次回路１４のＴ−Ｓ線図を示している。図４及び図５に付された番号は、同一の部位を同一の番号で示している。
二次回路１４を循環するＮＨ３も一次回路１２を循環する水とほぼ同様の挙動を示し、ランキンサイクルを構成する。
【００３０】
凝縮器３４で冷却された湿り蒸気は密閉容器３６に送られる。このとき、大気開放弁３８及び空気抜き弁７０は閉状態、水遮断弁７２は開状態となっている。密閉容器３６に送られた湿り蒸気は未だ高温状態にあるため、密閉容器３６内の空気を暖め、密閉容器３６内の圧力を高める。この圧力により密閉容器３６内の凝縮水ｃは、連通管６０を介して水貯留槽６２に移動する。そのため、水貯留槽６２の水面は上昇する。
密閉容器３６及び水貯留槽６２に大きな水面差が形成された時点で、大気開放弁３８を開放する。これによって、密閉容器３６内の圧力が低下するため、水貯留槽６２の水が連通管６０を介して密閉容器３６に流れ込む。そのため、水タービン６４が回転し、発電機６６で発電が行われる。
【００３１】
密閉容器３６には水面のほぼ全域にフロート式断熱材４０を浮かせてあるので、気相域ｇの保有熱が液相域ｗに伝わるのを抑制できる。また、連通管６０に逆Ｕ字管６８を設けているので、密閉容器３６側の高温で重量が軽くなった凝縮水ｃは逆Ｕ字管６８の頂部から水貯留槽６２側の連通管６０に下降しない。そのため、密閉容器３６の保有熱が水貯留槽６２側へ伝達するのを抑制でき、気相域ｇの圧力低下を抑制できる。
【００３２】
本実施形態によれば、低温熱源から熱回収を行う一次回路１２の作動流体として水を用い、ＮＨ３が循環する二次回路１４を低温熱源から隔離することで、ＮＨ３を使用する危険性を解消できる。
また、二次回路１４で水より低沸点を有するＮＨ３を使用し、一次回路１２を循環する蒸気でＮＨ３を加熱し気化させることで、低温熱源からの熱回収効率を向上できる。
【００３３】
また、一次回路１２を循環するＮＨ３を加熱し、蒸気タービン３０を駆動した後の湿り蒸気の保有熱を利用し、水タービン６４を駆動し発電するので、高効率な熱回収が可能になる。
また、フロート式断熱材４０で気相域ｇの保有熱が凝縮水ｃに放散するのを抑制できるので、気相域ｇの圧力低下を抑制でき、熱回収効率を高く維持できる。
さらに、連通管６０に設けられ、逆Ｕ字管６８で構成された熱対流防止手段によって、密閉容器３６の保有熱が水貯留槽６２側へ放散されるのを抑制でき、気相域ｇの圧力低下を抑制でき、これによっても熱回収効率を高く維持できる。
【００３４】
なお、本実施形態では、太陽熱、工場排熱、地熱等を低温熱源としているが、低温熱源として、市町村の清掃センタでの廃棄物焼却で発生した排熱や、高温を発生できる太陽光集熱装置で得られる熱源に適用してもよい。
また、熱交換器２２、２４及び２６を並列に配置しているが、これらの熱交換器を直列に配置してもよい。
また、湿り蒸気保有熱回収部１６において、夜間の割安な電力を用いて水タービン６４を駆動し、水貯留槽６２の貯留水の水面を上昇させ、昼間の電力需要が大きくなる時、上昇した貯留水で水タービン６４を駆動し、電力を得るようにしてもよい。
【００３５】
さらに、水貯留槽６２は、例えば自然界に形成された池や湖沼のような地形であって、水を貯留可能なものをそのまま利用したものであってもよい。この場合、池や湖沼の推移上昇はほとんど無く、反対に密閉容器３６内の水面が低下することで、水の位置エネルギが蓄えられる。
これによって、水貯留槽の建設費を削減できる。さらに、防火用水池やプールなどの既存の水貯留槽を利用するようにしてもよい。
【産業上の利用可能性】
【００３６】
本発明によれば、複合ランキンサイクルを用い、ＮＨ３などを使用する場合の問題点を解消できると共に、低沸点媒体から高効率な熱回収を可能にした排熱回収装置を実現できる。
【符号の説明】
【００３７】
１０                                  排熱回収装置
１２                                  一次回路
１４                                  二次回路
１６                                  湿り蒸気保有熱回収部
２０                                  低温熱採取部
２２、２４、２６、２８                熱交換器
３０                                  蒸気タービン
３２、５４、６６                      発電機
３４、５６                            凝縮器
３６                                  密閉容器
３８                                  大気開放弁
４０                                  フロート式断熱材
４２                                  水ポンプ
４４、４６、４８                      開閉弁
５０                                  ＮＨ３ポンプ
５２                                  ＮＨ３タービン
６０                                  連通管
６２                                  水貯留槽
６４                                  水タービン
６８                                  逆Ｕ字管（熱対流防止手段）
７０                                  空気抜き弁
７２                                  水遮断弁
Ｓｖ                                  飽和蒸気線
Ｓｗ                                  飽和水線
ｃ                                    凝縮水
ｇ                                    気相域
ｗ                                    貯留水
【図１】
2016023552.tif 000003
【図２】
2016023552.tif 000004
【図３】
2016023552.tif 000005
【図４】
2016023552.tif 000006
【図５】
2016023552.tif 000007